(57)【要約】      （修正有）【課題】テーブルの脚に使用される連結ねじの使用を減少させ、テーブルの安定度を確実にしたテーブルの脚の改良構造を提供する。【解決手段】テーブル天板の裏面に矩形状に配設される脚固定用の一対の前，後横梁６０及び左，右横梁７０と、１本の連結ねじ８０によって脚５０がそれぞれ固定されるようになっているテーブルの脚の改造構造であって、脚５０は、中空管体からなり、前，後横梁６０及び左，右横梁７０の端部をそれぞれ嵌合するための隣接した２つの嵌合部５１を備え、管体の上端部近傍の管内にはベース部５２を固設し、ベース部５２の中央には連結ねじ８０が螺合する雌ねじ穴が形成されており、前，後横梁６０及び左，右横梁７０の一端部及び他端部にはそれぞれ上方が開口する連結凹部６１，７１と下方が開口する連結凹部６１，７１とを有し、各連結凹部６１，７１の底板部及び上板部には連結ねじ８０が貫通する貫通孔７２を設ける。【選択図】図５
0003107112.tif 000002
【実用新案登録請求の範囲】
【請求項１】
テーブル天板の裏面に矩形状に配設される脚固定用の一対の前，後横梁及び左，右横梁と、前記前，後横梁及び左，右横梁の交差部となる各角隅部には、１本の連結ねじによって脚がそれぞれ固定されるようになっているテーブルの脚の改造構造であって、
前記脚は、中空管体からなり、該管体上端部の内側部には前記前，後横梁及び左，右横梁の端部をそれぞれ嵌合するための隣接した２つの嵌合部を備え、且つ、該管体の上端部近傍の管内にはベース部を固設し、該ベース部の中央には前記連結ねじが螺合する雌ねじ穴が形成されており、
前記前，後横梁及び左，右横梁の一端部及び他端部にはそれぞれ上方が開口する連結凹部と下方が開口する連結凹部とを有し、かつ前記各連結凹部の底板部及び上板部には前記連結ねじが貫通する貫通孔を設けると共に、前記各連結凹部に近接して前記前、後横梁及び左，右横梁の底板及び側板を切り込んで形成した係合用嵌合溝を設けてなり、
前記前，後横梁及び前記左、右横梁の交差部となる各角隅部はそれぞれ互いの連結凹部を介して連結され、該連結部を前記脚上端部の前記２つの嵌合部にそれぞれ嵌合すると共に、前記前，後横梁及び前記左、右横梁の係合用嵌合溝を前記嵌合部の底端部に係合し、前記前，後横梁及び前記左、右横梁の上板部に形成した貫通孔に貫通させた連結ねじの下端部を、前記ベース部に螺合することで、前記前，後横梁及び前記左、右横梁の各端部と脚とを互いに連結固定するようにしたことを特徴とするテーブルの脚の改造構造。
【請求項２】
前記脚は、円柱形状または角柱形状の管体からなることを特徴とする請求項１に記載のテーブルの脚の改造構造。
【請求項３】
前記前，後横梁及び左，右横梁の一端部及び他端部にそれぞれ下方が開口する連結凹部と上方が開口する連結凹部とを設け、かつ前記各連結凹部の底板部及び上板部には前記連結ねじが貫通する貫通孔を設けると共に、前記脚の管体上端部の内側部に形成した２つの嵌合部の凹部深さを前記ベース部取り付け位置まで深さとし、前記ベース部の中央には前記連結ねじが螺合する雌ねじ穴が形成されていることを特徴とする請求項１又は２に記載のテーブルの脚の改造構造。
【考案の詳細な説明】
【技術分野】
【０００１】
本考案は、テーブルの脚の改良構造に関するものであって、テーブルの脚に応用し、連結ねじの使用を減少させ、テーブルの安定度を確実にしたテーブルの脚の改良構造に関するものである。
【背景技術】
【０００２】
図１は、従来公知の立体分解図であり、テーブル天板の裏面に配設される各脚の各角隅部となる、一対の左、右横梁１０及び前，後横梁２０との交差部にはそれぞれ脚３０が配設されて、４本のねじ４０によって固定されるようになっている。
前記左，右横梁１０は直方管体で、その一端外側には２個のボルト通過孔１１が形成され、該通過孔１１の内側には２個の貫通孔１２を有し、貫通孔１２近くに連結孔１３を形成し、また、連結孔１３横に、係合用の係合用嵌合溝１４を設けてある。
前記前，後横梁２０は直方管体で、端部には２個の連結孔２１を設け、若干後方の下方全体に、係合用嵌合溝２２を設けている。脚３０は角柱形状の管体で形成され、上端部の内側部には、それぞれ隣接して嵌合部３１を設け、嵌合部３１は更に、内側に、ねじ４０を貫通する貫通孔３２を有する。
【０００３】
図２は、従来公知の立体組み立て図で、図３と合わせて参照すると、まず、前後横梁２０一端が左右横梁１０の一側に対応し、貫通孔１２は前記連結孔２１に対応する。その後、ねじ４０は左右横梁１０の通過孔１１により、貫通孔１２及び連結孔２１を貫通して互いに連結固定し、結合後の左，右横梁１０前，後横梁２０は、脚３０の上方により、嵌合部３１を介して連結され、係合用嵌合溝１４、２２を嵌合部３１底端部に嵌入し、最後に、２本のねじ４０は、脚３０により、貫通孔３２及び連結孔１３を互いに連結固定すれるようにしている。
【０００４】
図４は、従来公知の使用状態を示す図で、一対の左，右横梁１０、一対の前，後横梁２０、４本の脚３０、及び必要なねじ４０が組み合わされて、テーブルの脚を構成する。
【０００５】
しかし、上述のような公知の構造は、大量のねじ４０を使用するので、組み立てが煩雑で、単純な突合せ方式による組み立てなので、安定性に劣る。
【考案の開示】
【考案が解決しようとする課題】
【０００６】
本考案は、テーブルの脚の改良構造に関するものであって、テーブルの脚に使用される連結ねじの使用を減少させ、テーブルの安定度を確実にしたテーブルの脚の改良構造を提供することを目的とする。
【課題を解決するための手段】
【０００７】
本考案に係る請求項１の考案は、テーブル天板の裏面に矩形状に配設される脚固定用の一対の前，後横梁及び左，右横梁と、前記前，後横梁及び左，右横梁の交差部となる各角隅部には、１本の連結ねじによって脚がそれぞれ固定されるようになっているテーブルの脚の改造構造であって、前記脚は、中空管体からなり、該管体上端部の内側部には前記前，後横梁及び左，右横梁の端部をそれぞれ嵌合するための隣接した２つの嵌合部を備え、且つ、該管体の上端部近傍の管内にはベース部を固設し、該ベース部の中央には前記連結ねじが螺合する雌ねじ穴が形成されており、前記前，後横梁及び左，右横梁の一端部及び他端部にはそれぞれ上方が開口する連結凹部と下方が開口する連結凹部とを有し、かつ前記各連結凹部の底板部及び上板部には前記連結ねじが貫通する貫通孔を設けると共に、前記各連結凹部に近接して前記前、後横梁及び左，右横梁の底板及び側板を切り込んで形成した係合用嵌合溝を設けてなり、前記前，後横梁及び前記左、右横梁の交差部となる各角隅部はそれぞれ互いの連結凹部を介して連結され、該連結部を前記脚上端部の前記２つの嵌合部にそれぞれ嵌合すると共に、前記前，後横梁及び前記左、右横梁の係合用嵌合溝を前記嵌合部の底端部に係合し、前記前，後横梁及び前記左、右横梁の上板部に形成した貫通孔に貫通させた連結ねじの下端部を、前記ベース部に螺合することで、前記前，後横梁及び前記左、右横梁の各端部と脚とを互いに連結固定するようにしたことを特徴とする。
【０００８】
請求項２の考案は、請求項１に記載のテーブルの脚の改造構造において、前記脚は、円柱形状または角柱形状の管体からなることを特徴とする。
【０００９】
請求項３の考案は請求項１又は２に記載のテーブルの脚の改造構造において、前記前，後横梁及び左，右横梁の一端部及び他端部にそれぞれ下方が開口する連結凹部と上方が開口する連結凹部とを設け、かつ前記各連結凹部の底板部及び上板部には前記連結ねじが貫通する貫通孔を設けると共に、前記脚の管体上端部の内側部に形成した２つの嵌合部の凹部深さを前記ベース部取り付け位置まで深さとし、前記ベース部の中央には前記連結ねじが螺合する雌ねじ穴が形成されていることを特徴とする。
【考案の効果】
【００１０】
大量のねじを必要とせず、特に前，後横梁及び左，右横梁の各交差部の結合を前記前，後横梁及び左，右横梁の端部に設けた連結凹部を介して行い、前記連結部を脚の隣接する夫々の嵌合部に位置決めして、前記前，後横梁及び前記左、右横梁の上板部に形成した貫通孔に貫通させた連結ねじの下端部を、前記ベース部に螺合することで、前記前，後横梁及び前記左、右横梁の各端部と脚とを互いに連結固定するようにしたので、連結ねじが１本ですむため、組み付けが極めて容易にでき、ねじの使用を減少し、好ましい安定性の結合を達成できる。
【考案を実施するための最良の形態】
【００１１】
以下本考案の好適な実施形態について、図面を参照して実施例を説明する。
【実施例１】
【００１２】
図５は、本考案のテーブルの脚の改造構造に係る実施例１を示す要部の立体分解図である。テーブル天板ａの裏面に配設される脚固定用の一対の左，右横梁７０及び前，後横梁６０との交差部となる各角隅部には、それぞれ脚５０が配設されて、１本のねじ８０によって固定されるようになっている。
【００１３】
図６の要部の断面図で示されるように、前記脚５０は、角柱形状の内部中空の管体で形成され、上端部内側部にはそれぞれ、前記左，右横梁７０及び前，後横梁６０の端部を嵌合する嵌合部５１を備え、且つ、管体内の上端部近傍の管体内にはベース部５２を固設し、該ベース部５２の中央部には、前記連結ねじ８０が螺合する雌ねじ穴５３が形成されている。
【００１４】
図７は、前記前，後横梁６０を長手方向に断面して示した要部断面図で、端部上方には、前記左，右横梁７０の端部と嵌合する嵌合部６１を有し、嵌合部６１の底板部には貫通孔６２を貫設し、嵌合部６１の後方の適所下方に、係合用嵌合溝６３を設けている。
【００１５】
図８は前記左，右横梁７０を長手方向に断面して示す要部断面図で、端部下方に、嵌合部７１を有し、嵌合部７１の上板部中心には、貫通孔７２を設け、前記嵌合部７１の後方の適所下方に、係合用嵌合溝７３を設けている。
【００１６】
前記構成の組み合わせは、図９及び図１０を同時に参照して説明すると、まず、前，後横梁６０の端部が、脚５０上端部の嵌合部５１に連結され、同時に、係合用嵌合溝６３が嵌合部５１の底端部に嵌入し、更に、左，右横梁７０の端部は、脚５０のもう一つの嵌合部５１により連結され、同時に、係合用嵌合溝７３を嵌合部５１の底端部に嵌入し、嵌合部７１は嵌合部６１に対応すると共に、互いに係合し、最後に、連結ねじ８０が、上方から貫通孔７２、貫通孔６２を貫通してベース部５２の雌ねじ孔５３上に螺合され、脚５０、前，後横梁６０及び左，右横梁７０が互いに結合固定される。なお、前記前，後横梁６０及び左，右横梁７０の各端部に形成される連結凹部６１，７１は、他端部にあっては、凹部の開口が互いに逆向きに形成されている。
【００１７】
図１１は、本考案のテーブルの脚の改造構造の使用状態を示す図で、４本の脚５０、一対の前，後横梁６０及び一対の左，右横梁７０が組み合わされて連結ねじ８０で固定され、テーブルの天板の裏面に配設された構成である。
【実施例２】
【００１８】
図１２は、本考案のテーブルの脚の改造構造の第２実施例の要部を示す立体分解図であり、４本の脚５０は、円柱形状の脚５０ａを使用し、同様に、前，後横梁６０、左、右横梁７０及び連結ねじ８０を合わせて使用するものである。
【００１９】
第２実施例による脚５０ａは、図１３によく示されるように、脚５０ａは円形管体で構成され、上端部は脚５０ａの内部に向かって四分の一の箇所に、それぞれ、嵌合部５１ａが形成され、且つ、上方管体内の適切な箇所に、ベース部５２ａを固設し、ベース部５２ａの中心部に、前記連結ねじ８０が螺合する雌ねじ穴５３が形成されている。
【００２０】
その組み合わせは、図１４で示されるように、まず、前，後横梁６０の端部を脚５０ａ上端部の嵌合部５１ａに連結し、同時に、係合用嵌合溝６３を嵌合部５１ａの底端部に嵌入し、更に、左，右横梁７０の端部は、脚５０ａのもう一つの嵌合部５１ａにより連結し、同時に、係合用嵌合溝７３を嵌合部５１ａ底端部に嵌入し、嵌合部７１は嵌合部６１に対応し、互いに係合し、最後に、連結ねじ８０が、上方から貫通孔７２、貫通孔６２を貫通して雌ねじ穴５３ａに螺合連結されることで、脚５０ａ、前，後横梁６０及び左，右横梁７０が互いに結合固定される。
【００２１】
図１５は、本考案の第２実施例の組み立て使用状態を示す図で、４本の脚５０ａ、一対の前，後横梁６０、一対の左，右横梁７０及び連結ねじ８０が組み合わされてテーブルの天板裏面に配設される構成となっている。
【００２２】
本考案のテーブルの脚の改造構造に係る上述の実施例によれば、大量の連結ねじ８０を使用することなく、前，後横梁６０及び左，右横梁７０の各端部に、それぞれ嵌合部６１及び嵌合部７１を形成し、嵌合部６１及び嵌合部７１の相互嵌合により、安定した結合が達成される。
【実施例３】
【００２３】
図１６及び図１７は本考案のテーブルの脚の改造構造に係る第３実施例を示す立体分解図及び組み合わせた状態の要部の断面図である。
【００２４】
第３実施例によれば、前述の第１，第２実施例のように、前，後横梁６０及び左，右横梁７０には係合用嵌合溝６３，７３が設けらない構成であって、脚５０に形成される嵌合部５１ａは、深度を深くし、組み立て時、前，後横梁６０の一端が脚５０上端部の嵌合部５１により連結され、同時に、ベース部５２上に架設され、更に、左，右横梁７０の一端が脚５０のもう一つの嵌合部５１により連結され、同時に、嵌合部７１は嵌合部６１に対応すると共に、互いに係合し、同様に、ベース部５２ａ上に架設され、最後に、連結ねじ８０が、上方から貫通孔７２、貫通孔６２を貫通してベース部中央の雌ねじ穴５３に連結され、脚５０、前，後横梁６０、左，右横梁７０が互いに結合固定されるようにしたものである。
【図面の簡単な説明】
【００２５】
【図１】従来の本考案のテーブルの脚構造の要部の立体分解図である。
【図２】図１の立体組立図である。
【図３】図２のａ−ａに沿った断面図である。
【図４】従来の本考案のテーブルの脚構造の使用状態を示す斜視図である。
【図５】本考案のテーブルの脚の改造構造の第１実施例を示す要部の立体分解図である。
【図６】図５における脚の一部切欠き立体断面図である。
【図７】図５における前，後横梁６０の一部切欠き立体断面図である。
【図８】図５における左，右横梁７０の一部切欠き立体断面図である。
【図９】本考案のテーブルの脚の改造構造における立体組立図である。
【図１０】図９のＢ―Ｂに沿った断面図である。
【図１１】本考案のテーブルの脚の改造構造における使用状態を示す図である。
【図１２】本考案のテーブルの脚の改造構造の第２実施例を示す要部の立体分解図である。
【図１３】図１２の円脚の一部切欠き立体断面図である。
【図１４】図１２の立体組立図である。
【図１５】本考案のテーブルの脚の改造構造における第２実施例の使用状態を示す斜視図である。
【図１６】本考案のテーブルの脚の改造構造における第３実施例を示す立体分解図である。
【図１７】図１６の第３実施例における要部組立状態の断面図である。
【符号の説明】
【００２６】
１０…左，右横梁
１１…通過孔
１２…連結孔
１３…連結孔
１４…係合用嵌合溝
２０…前，後横梁
２１…連結孔
２２…係合用嵌合溝
３０、５０…脚
３１、５１、５１ａ…嵌合部
３２…貫通孔
４０、８０…ねじ
５２、５２ａ…ベース部
５３、５３ａ…雌ねじ穴
５０ａ…脚
６０…前，後横梁
６１…嵌合部
６２…孔
６３…係合用嵌合溝
７０…左，右横梁
７１…嵌合部
７２…貫通孔
７３…係合用嵌合溝        
【図１】
0003107112.tif 000003
【図２】
0003107112.tif 000004
【図３】
0003107112.tif 000005
【図４】
0003107112.tif 000006
【図５】
0003107112.tif 000007
【図６】
0003107112.tif 000008
【図７】
0003107112.tif 000009
【図８】
0003107112.tif 000010
【図９】
0003107112.tif 000011
【図１０】
0003107112.tif 000012
【図１１】
0003107112.tif 000013
【図１２】
0003107112.tif 000014
【図１３】
0003107112.tif 000015
【図１４】
0003107112.tif 000016
【図１５】
0003107112.tif 000017
【図１６】
0003107112.tif 000018
【図１７】
0003107112.tif 000019